(57)【要約】【課題】食品の混合を防ぐと共に、容器を互いに重ねることができる食品用容器を提供する。【解決手段】厚紙製食品容器は、４つの側壁を有する基部及び該基部の内側底部より伸びるＶ字型主隆起部を含む。Ｖ字型の第１溝部は基部の外側底部に定められ、主隆起部に対応するよう配置される。複数の細長いスロットが基部の底部に定められ、Ｖ字型分別隆起部が該スロットを覆うよう内側底部に結合されている。複数の第２溝部が基部の外側底部に画定され分別隆起部に対応するように配置されている。蓋が４つの側壁の１つに結合されている。該基部は、主隆起部と第１溝部及び分別隆起部と第２溝部を合わせることにより、重ね合わせることが出来る。【選択図】図２
0003104285.tif 000002
【実用新案登録請求の範囲】
【請求項１】
４つの側壁（２２）を有する基部（２０）及び基部（２０）の内側底部より伸びる主隆起部（２３）と、
該基部（２０）の外側底部に定められ、主隆起部（２３）に対応するように配置される第１溝部（２３０）と、
該基部（２０）の底部に定められた複数の細長いスロット（２４）であって、該細長いスロット（２４）と直角を成す対面する２つの側壁（２２）及び主隆起部（２３）に通じる細長いスロット（２４）と、
縦側の一方で結合された２つのサイドプレートを各々有する複数の分別隆起部（３０）であって、各サイドプレートは端部に第１結合プレート（３１）及び縦側の他方に第２結合プレート（３２）を有し、各分別隆起部（３０）の第１結合プレート（３１）は側壁（２２）及び主隆起部（２３）の内側に取り付けられ、第２結合プレート（３２）は基部（２０）の内側底部に取り付けられる、
以上を含む、厚紙製の食品容器。
【請求項２】
細長いスロット（２４）が、側壁（２２）及び主隆起部（２３）に定められるＶ字型開口部（２６）に通じ、複数のＶ字型第２溝部（３００）が、基部（２０）の外側底部に定められ、かつ、Ｖ字型開口部（２６）に通じている、請求項１に記載の容器。
【請求項３】
分別隆起部（３０）が、第２溝部（３００）に適合する大きさのＶ字型隆起部である、請求項２に記載の容器。
【請求項４】
主隆起部（２３）が、第１溝部（２３０）に適合する大きさのＶ字型隆起部である、請求項１に記載の容器。
【請求項５】
基部（２０）の４つの側壁（２２）の１つに結合された蓋（１０）を更に含む、請求項１に記載の容器。
【請求項６】
主隆起部（２３）が、該蓋（１０）が結合された側壁に対し平行に配置される、請求項５に記載の容器。
【請求項７】
主隆起部（２３）が、該蓋（１０）が結合された側壁に対し直角に配置される、請求項５に記載の容器。
【考案の詳細な説明】
【技術分野】
【０００１】
本考案は、内側底部に数個の分別隆起部及び外側底部に複数の溝部を有し、よって該容器は隆起部を溝部にはめ込むことにより重ね合わせることが出来る厚紙製の食品容器に関する。
【背景技術】
【０００２】
従来の厚紙製食品容器は通常、基部及び該基部の上部開口部に結合された蓋部を含む。基部は４つの側壁を含み、よって食品を収納するための深みを形成する。それにもかかわらず、２種以上の食品を同じ基部に入れると、それらは互いに散らかった状態で混ざり合ってしまい、使用者にとっては受け入れ難いものである。他の厚紙製食品容器としては、２つの小容器を含み、該２つの小容器が互いに接着されているものがある。この種の食品容器は組み立てコストが高くなり、構造上の十分な強度を欠くものである。
【考案の開示】
【考案が解決しようとする課題】
【０００３】
本考案の目的は、基部の内側底部に分別隆起部を含み、よって異なる食品の混合を防ぐと共に、容器を互いに簡便に重ねることができる食品容器を提供することである。
【課題を解決するための手段】
【０００４】
本考案は、４つの側壁を有する基部及び該基部の内側底部より伸びる主隆起部を含む厚紙製の食品容器に関する。第１溝部は基部の外側底部に形成され、主隆起部に対応するように配置される。複数の細長いスロットが基部の底部に定められ、細長いスロットと直角を成す対面する２つの側壁２２及び主隆起部２３に通じる。複数の分別隆起部は各々縦側の一方で結合されている２つのサイドプレートを含む。各サイドプレートは端部に第１結合プレート及び縦側の他方に第２結合プレートを有する。各々の分別隆起部の第１結合プレートは、側壁内側及び主隆起部に取り付けられている。第２結合プレートは基部の内側底部に取り付けられいる。
【０００５】
本考案は、本考案に関する以下の説明、説明の為だけに示すところの添付図面、好適な実施形態の組合せにり、より良く理解できよう。
【考案を実施するための最良の形態】
【０００６】
図１から３に示すように、本考案の厚紙製食品容器は底部２１及び４つの側壁２２を有する基部２０を含む。蓋１０は基部２０の４つの側壁２２の一に結合される。主隆起部２３は基部２０の内側底部より伸び、主隆起部２３は基部２０の底部２１を折り曲げることにより形成され、よってＶ字型の第１溝部２３０が基部２０の外側底部に形成され、該第１溝部２３０は主隆起部２３に対応するように配置される。複数の細長いスロット２４が、基部２０の底部２１に定められ、細長いスロット２４と直角を成す対面する２つの側壁２２及び主隆起部２３に定められたＶ字型開口部２６に通じている。
【０００７】
複数のＶ字型分別隆起部３０は、各々、縦側の一方で結合された２つのサイドプレートを含む。各サイドプレートは端部に第１結合プレート３１を有し、縦側の他方に第２結合プレート３２を有する。各分別隆起部３０の第１結合プレート３１は側壁２２及び主隆起部２３の内側に取り付けられる。第２結合プレート３２は、基部２０の内側底部に取り付けられ、異なる種類の食品を収容するための数個の仕切り２５を形成する。複数のＶ字型第２溝部３００は基部２０の外側底部に定められ、Ｖ字型開口部２６に通じる。
【０００８】
図４に示すように、食品容器の基部２０は、主隆起部２３と第１溝部２３０及び分別隆起部３０と第２溝部３００とを合わせることにより、簡便に重ね合わせることができる。該食品容器はこのような方法で収納することができ、空間の有効活用ができる。
【０００９】
図３に示す第１の実施形態では、主隆起部２３は、蓋１０が結合されている側壁に対し平行に配置されている。本発明の他の実施形態を示す図５においては、主隆起部２３’は蓋１０が結合されている側壁に対し直角に配置されている。図６においては、主隆起部２３’’が二つ、蓋１０が結合されている側壁に対し直角に配置されている。
【００１０】
以上本発明の実施形態を示したが、本発明の範囲より逸脱することなくさらなる実施形態が可能であることは、当業者にとって明らかである。
【図面の簡単な説明】
【００１１】
【図１】本発明の厚紙製食品容器の上面からの平面図である。
【図２】本発明の食品容器及び一の分別隆起部を示す分解図である。
【図３】本発明の食品容器の斜視図である。
【図４】複数の食品容器が互いに重なり合う状態を示す図である。
【図５】本発明の食品容器の他の実施形態を示す図である。
【図６】本発明の食品容器のさらに他の実施形態を示す図である。
【符号の説明】
【００１２】
１０    蓋
２０    基部
２１    底部
２２    側壁
２３    主隆起部
２３’  主隆起部
２３’’主隆起部
２３０  第１溝部
２４    細長いスロット
２５    仕切り
２６    Ｖ字型開口部
３０    分別隆起部
３００  第２溝部
３１    第１結合プレート
３２    第２結合プレート
【図１】
0003104285.tif 000003
【図２】
0003104285.tif 000004
【図３】
0003104285.tif 000005
【図４】
0003104285.tif 000006
【図５】
0003104285.tif 000007
【図６】
0003104285.tif 000008